(57)【要約】【課題】タッチペンの脱着性特性に優れたカバーケースを提供する。【解決手段】タッチ画面を有する電子端末およびタッチペンを保持するために用いるカバーケース。カバーケースは、電子端末が保持される電子端末保持空間を有する枠体と、枠体と一体に設けられており、タッチペンが保持されるタッチペン保持空間を有するタッチペン保持部と、を備える。【選択図】図１
2013093002.tif 000002
【特許請求の範囲】
【請求項１】
タッチ画面を有する電子端末およびタッチペンを保持するために用いるカバーケースであって、
前記電子端末が保持される電子端末保持空間を有する枠体と、
前記枠体と一体に設けられており、前記タッチペンの先端部より硬い部材で構成されていて、前記タッチペンが保持されるタッチペン保持空間を有するタッチペン保持部と、
を備える、
カバーケース。
【請求項２】
請求項１に記載のカバーケースにおいて、
前記タッチペン保持部は、前記枠体に形成されており、前記タッチペン保持空間を有する収容凹部で構成されている、カバーケース。
【請求項３】
請求項２に記載のカバーケースにおいて、
前記枠体は、前記タッチペン保持空間から前記電子端末保持空間に臨んで開口している、カバーケース。
【請求項４】
請求項３に記載のカバーケースにおいて、
前記タッチペンと接する前記電子端末保持空間を有する、カバーケース。
【請求項５】
請求項３または４に記載のカバーケースにおいて、
前記枠体は、底部と、当該底部と一体に設けられた側壁部とで構成されており、
前記底部の正面側には、前記電子端末保持空間と前記タッチペン保持空間とが並んで形成されており、前記電子端末保持空間と前記タッチペン保持空間との間に、前記電子端末の平面移動を規制する突起部が形成されている、カバーケース。
【請求項６】
請求項２から４のいずれか１項に記載のカバーケースにおいて、
前記枠体は、底部と、当該底部と一体に設けられた側壁部とで構成されており、
前記底部の正面側に、前記電子端末保持空間が形成されており、
前記底部の背面側に、前記収容凹部が形成されている、カバーケース。
【請求項７】
請求項２から６のいずれか１項に記載のカバーケースにおいて、
前記収容凹部の内壁面には、前記タッチペンの挿入方向に延在している係合部が形成されている、カバーケース。
【請求項８】
請求項２から７のいずれか１項に記載のカバーケースにおいて、
前記枠体の側壁部が、硬質部材と弾性部材とで構成されている、カバーケース。
【請求項９】
請求項７に記載のカバーケースにおいて、
前記枠体は、四角環状構造を有する側壁部を有しており、
前記側壁部の一辺は、前記硬質部材の硬質側辺と前記弾性部材の弾性側辺を有しており、
前記硬質側辺と前記弾性側辺は、前記タッチペンの挿入方向に並んで接続しており、
前記枠体の前記側壁部の前記硬質側辺に、前記収容凹部が形成されている、カバーケース。
【請求項１０】
請求項８または９に記載のカバーケースにおいて、
前記枠体の角部は、前記硬質部材で構成されている、カバーケース。
【請求項１１】
請求項１から１０のいずれか１項に記載のカバーケースにおいて、
前記枠体を構成する側壁部は、前記タッチペン保持部と同一部材で構成されている、カバーケース。
【請求項１２】
請求項１１に記載のカバーケースにおいて、
前記枠体は、係合自在の複数の前記側壁部から構成されている、カバーケース。
【請求項１３】
請求項１から１２のいずれか１項に記載のカバーケースと、
前記カバーケースのタッチペン保持部に保持されるタッチペンと、
を備える、
カバーケースセット。
【請求項１４】
請求項１３に記載のカバーケースセットにおいて、
前記タッチペンは、平板構造を有する本体と、
前記本体の先端に一体に形成された先端部と、を有する、カバーケースセット。
【発明の詳細な説明】
【技術分野】
【０００１】  本発明は、カバーケースおよびカバーケースセットに関する。
【背景技術】
【０００２】  特許文献１には、電子装置の内部空間が狭くなることを回避するために、紐状のストラップを使用して、入力ペンを電子装置に結びつけることが記載されている。すなわち、同文献には、入力ペンの先端に着脱自在のキャップを設け、このキャップにストラップを装着することが記載される。
【先行技術文献】
【特許文献】
【０００３】
【特許文献１】特開２０１１−７６５７９号公報
【発明の概要】
【発明が解決しようとする課題】
【０００４】  特許文献１に記載の入力ペンは、紐状のストラップ付きのキャップを介して電子装置に装着されている。このため、キャップから取り出す直前の入力ペンの位置や、使用後のキャップの位置は、電子装置に対して固定されていない。その結果、使用直前に入力ペンを取り外す操作や使用後に入力ペンを装着する操作の操作性が低下していた。
【課題を解決するための手段】
【０００５】  本発明によれば、
タッチ画面を有する電子端末およびタッチペンを保持するために用いるカバーケースであって、
前記電子端末が保持される電子端末保持空間を有する枠体と、
前記枠体と一体に設けられており、前記タッチペンの先端部より硬い部材で構成されていて、前記タッチペンが保持されるタッチペン保持空間を有するタッチペン保持部と、
を備える、
カバーケースが提供される。【０００６】  タッチペン保持部は、電子端末を保持する枠体と一体に設けられている。くわえて、タッチペン保持部は硬質部材で構成されている。これにより、タッチペン保持部は、タッチペンを枠体と一体に保持できる。つまり、タッチペンの脱着が容易となる。【０００７】  なお、本発明の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【発明の効果】
【０００８】  本発明によれば、タッチペンの脱着性特性に優れたカバーケースが提供される。
【図面の簡単な説明】
【０００９】
【図１】第１の実施の形態のカバーケースを示す斜視図である。
【図２】第１の実施の形態のカバーケースを示す、（ａ）正面図、（ｂ）平面図、（ｃ）左側面図、（ｄ）底面図、および（ｅ）右側面図である。
【図３】（ａ）図２のＡ−Ａ’断面図、（ｂ）図３（ａ）の一部の拡大図、（ｃ）第１の実施の形態のカバーケースに電子端末およびタッチペンの装着を説明するための図、（ｄ）タッチペンの正面図である。
【図４】（ａ）第２の実施の形態の電子端末を示す底面図である。（ｂ）（ｃ）のＢ−Ｂ’断面図、（ｃ）（ｄ）第２の実施の形態のカバーケースを示す正面図、および右側面図である。（ｅ）（ｆ）第２の実施の形態のタッチペンの正面図および側面図である。
【図５】（ａ）第２の実施の形態のカバーケースを示す背面図である。（ｂ）第２の実施の形態のカバーケースの使用方法を説明する図である。
【図６】（ａ）第３実施の形態のカバーケースの分解図である。（ｂ）第３の実施の形態のカバーケースを示す斜視図である。
【図７】第３の実施の形態の変形例のカバーケースを示す斜視図である。
【図８】（ａ）第４実施の形態のカバーケースを示す斜視図である。（ｂ）タッチペンの挿入方向から見たときにおける、タッチペン収容凹部にタッチペンを装着することを説明する図である。
【図９】第４実施の形態の変形例のカバーケースを示す斜視図である。
【図１０】（ａ）タッチペンの正面図、（ｂ）タッチペンの底面図、（ｃ）第５の実施の形態のカバーケースを示す背面図、（ｄ）（ｃ）のＤ−Ｄ’断面図、（ｅ）第５の実施の形態のカバーケースの使用態様を説明する図である。
【図１１】（ａ）第６の実施の形態のカバーケースを示す底面図、（ｂ）第６の実施の形態のカバーケースの使用態様を説明する図、（ｃ）第６の実施の形態のカバーケースを示す斜視図である。
【発明を実施するための形態】
【００１０】  以下、本発明の実施の形態について、図面を用いて説明する。尚、すべての図面において、同様な構成要素には同様の符号を付し、適宜説明を省略する。
なお、本実施の形態では、前後左右上下の方向を規定して説明する場合がある。しかし、これは構成要素の相対関係を簡単に説明するために便宜的に規定するものであり、本発明を実施する製品の製造時や使用時の方向を必ずしも限定するものではない。
【００１１】（第１の実施の形態）
図１は、本実施の形態のカバーケース１００の斜視図を示す。図２の（ａ）〜（ｅ）は、図１に示すカバーケース１００の正面図、平面図、左側面図、底面図、および右側面図である。図３（ａ）は、図２のＡ−Ａ’断面図である。図３（ｂ）は、図３（ａ）の一部の拡大図である。また、図３（ｃ）は、カバーケース１００に電子端末２４およびタッチペン２６の装着を説明するための図であり、図３（ｄ）は、タッチペン２６の正面図である。
【００１２】  はじめに、本実施の形態カバーケース１００の概要を説明する。
カバーケース１００は、タッチ画面を有する電子端末２４およびタッチペン２６を保持するために用いるものである。カバーケース１００は、電子端末２４が保持される電子端末保持空間１１２を有する枠体（側壁１０２、側壁１０４、右側壁１２２、および上側壁１２０）と、枠体一体に設けられており、タッチペン２６の先端部２８より硬い部材で構成されていて、タッチペン２６が保持されるタッチペン保持空間１３２を有するタッチペン保持部タッチペン保持部１３０を備える。
【００１３】  タッチペン保持部１３０は、タッチペン２６の先端部２８より硬い部材で構成されている。タッチペン保持部１３０は、硬質部材で構成されているので、タッチペン２６の着脱時に変形しにくくなる。このため、タッチペン２６の装着と取り外しが容易となり、タッチペン２６を活用した電子端末２４の作業効率を向上させることが可能なる。
【００１４】  ここで、本実施の形態において、枠体は、電子端末を保持できる構造であれば特に限定されないが、たとえば、環状構造、電子端末を収容する箱体構造、などの少なくとも電子端末の周囲の三面を保持する構造を意味する。また、本実施の形態のカバーケースは、タッチペン保持部が一体に設けられた枠体を含むものであり、たとえば、枠体に一体に設けられた付属品を有してもよい。付属品としては、たとえば、ネックストラップやクリップ構造、非接触給電装置の取付構造などが挙げられる。また、一体に設けられたということは、同一部材で形成される態様のみならず、別部材で形成された態様を含むことを意味する。
【００１５】  以下、カバーケース１００の詳細を説明する。
図１に示すカバーケース１００は、枠体から構成されている。枠体は、側壁１０２、側壁１０４、右側壁１２２、および上側壁１２０からなる側壁部と底板１４２とを有している。すなわち、カバーケース１００は、底板１４２と、底板１４２に対して面直方向に一体に形成され、その四方を囲む側壁部とを有する。枠体は、その内部に、電子端末保持部１１０とタッチペン保持部１３０とを有している。つまり、電子端末保持部１１０とタッチペン保持部１３０とは、枠体に囲まれた空間内であって、底板１４２の平面方向に並設されている。たとえば、同一部材の底板１４２（底板１０８および底板１２４）の正面側には、電子端末保持空間１１２およびタッチペン保持空間１３２が並んで配置されている。
【００１６】  図３に示すように、電子端末保持空間１１２は、底板１０８、側壁１０２、上側壁１２０、側壁１０４、下側壁１２６、天板１２８、天板１２８の端部の係止部１２８ａで囲まれた、タッチペン収容凹部（以下、収容凹部ということもある。）で構成される。収容凹部はタッチペン保持空間１３２を有している。つまり、タッチペン保持部１３０は、枠体に形成された収容凹部で構成される。一方、タッチペン保持空間１３２は、底板１２４、枠体の壁部（右側壁１２２）、および天板１２８により囲まれることにより構成される。
【００１７】  本実施の形態において、収容凹部には、タッチペンの一部または全体が収容される。凹部の底面には、凹部の内面でタッチペンが保持される限りにおいて、孔が形成されていてもよい。本実施の形態では、空間を囲むとは、たとえば、６方向のうち、少なくとも空間の所定の３方向を覆うことを意味する。
【００１８】  また、底板１４２の正面側には、電子端末保持空間１１２とタッチペン保持空間１３２との間に、電子端末２４の平面移動を規制する突起部（凸部１０６）が形成されている。つまり、凸部１０６は、電子端末２４が、電子端末保持空間１１２の右側面に配置されている電子端末保持空間１１２に、移動することを抑制する。これにより、電子端末２４の平面位置を固定できる。凸部１０６は、電子端末２４の側壁の少なくとも一面に沿って、形成されていればよく、点在または連続して形成されてもよい。
【００１９】  また、図３（ａ）に示す枠体は、タッチペン保持空間１３２から電子端末保持空間１１２に臨んで開口している。つまり、タッチペン保持空間１３２と電子端末保持空間１１２とは連通している。すなわち、タッチペン保持空間１３２と電子端末保持空間１１２との間の壁部には開口１４４が形成されていることが好ましい。たとえば、タッチペン保持空間１３２は、図３（ａ）に示すように、電子端末保持空間１１２の右側面に、接して配置されている。つまり、本実施の形態では、タッチペン保持空間１３２と電子端末保持空間１１２の側面との間に、空間を物理的に分離する仕切り部は形成されていない。
【００２０】  本実施の形態において、枠体の内部に電子端末保持空間１１２とタッチペン保持空間１３２とは、互いの空間が連通しており、タッチペンの一部が電子端末の一面に保持される態様を意味する。
【００２１】  タッチペン保持部１３０は、タッチペン保持空間１３２を有する。タッチペン保持空間１３２の周囲には、天板１２８、右側壁１２２および底板１２４が配置されている。天板１２８と底板１２４は互いに対向している。天板１２８と底板１２４とは右側壁１２２で接続される。天板１２８、底板１２４および右側壁１２２は、コの字形状の断面構造を有する。天板１２８、右側壁１２２および底板１２４の内壁面は、図３（ａ）に示すように、タッチペン２６の外周縁と当接するように形成されていることが好ましいが、タッチペン２６の外周縁との間にマージンを有していてもよい。この内壁面は、タッチペン２６の外周縁と点接触してもよいが、面接触してもよい。すなわち、内壁面は、タッチペン２６の外周縁の形状に沿って形成されてもよい。天板１２８、右側壁１２２および底板１２４の長手方向は、タッチペン２６の挿入方向と一致させてもよい。
【００２２】  図１に示すカバーケース１００のメリットは次の通りである。
第１に、成形特性に優れる点が挙げられる。
第１の実施の形態においては、カバーケース１００の内部に空間を分離するための仕切り部を形成する必要がない。つまり、本実施の形態の枠体は、タッチペン保持空間１３２から電子端末保持空間１１２に臨んで開口している。このため、ケースの構造が複雑となることを回避できるので、カバーケース１００の成型し易さを高めることが可能となる。
【００２３】  さらに、カバーケース１００の側壁面や底面に、タッチペン収容凹部を容易に形成することができる。つまり、側壁１０４や底板１４２を、内側から外側に向かって押し出し形成する。これにより、側壁１０４や底板１４２の外側面にトンネル状のタッチペン収容凹部が形成され得る。これは、枠体とタッチペン保持部１３０（つまり、タッチペン収容凹部の内壁）が同一部材で構成できるためである。したがって、本実施の形態によれば、カバーケース１００の枠体を加工して、タッチペン保持部１３０となるタッチペン収容凹部を形成できる。これにより、タッチペン保持部をカバーケース１００の外側面に取り付けるための部材も不要となるため、省スペースの場所にもタッチペン保持部１３０を形成できる。
【００２４】  なお、本実施の形態では、カバーケース１００の側壁にタッチペン保持部１３０を形成したが、同様にして、底板１４２にタッチペン保持部１３０を押し出し形成することも可能である。なお、タッチペン保持部１３０を、枠体の側壁面に形成することにより、カバーケース１００の正面に垂直方向の厚みを低減することが出来る。また、タッチペン保持部１３０を、枠体の底面に形成することにより、カバーケース１００の幅方向の長さを低減できる。
【００２５】  また、電子端末保持部１１０およびタッチペン保持部１３０を同一部材で構成することにより、成形特性を高め、取り付け部品を削減するなどにより製造コストを削減できるとともに、製品間のバラツキを抑制することができる。たとえば、ここで、同一部材とは、同一材料を用いて同一工程で形成され得たものを意味する。
【００２６】  第２に、電子端末２４の脱着特性に優れる点が挙げられる。
図１および図３（ａ）に示すように、電子端末保持空間１１２の右側面に開口１４４が形成されている。開口１４４の長手方向の長さは、電子端末保持空間１１２の右側面の長手方向の長さと同じとすることができる。開口１４４は、天板１２８の先端に形成された係止部１２８ａと凸部１０６との間に形成される。つまり、電子端末保持空間１１２の右側面の全面に亘って、係止部１２８ａと凸部１０６との間が連結していない。このため、係止部１２８ａと凸部１０６と幅を、天板１２８の弾性特性に応じて、若干広げることができる。したがって、電子端末保持空間１１２に電子端末２４を装着する際において、電子端末２４を係止部１２８ａと凸部１０６との間に挿入しやすくなり、電子端末２４の装着特性を高めることができる。
【００２７】  また、開口１４４の長手方向の平行線が通過する枠体の側壁に、凹部が形成されていることが好ましい。たとえば、図１に示すように、側壁１０２と上側壁１２０との間には凹部１１６が形成されており、側壁１０４と下側壁１２６との間には凹部１１８が形成されている。さらに、これらの凹部は対向する一対の凹部であることが好ましい。これにより、電子端末２４の装着時に、カバーケース１００の正面開口を一層広げ易くなる。以上により、電子端末２４の脱着特性を高めることができる。
【００２８】  タッチペン保持部１３０を構成する天板１２８の端縁部には、その全体に亘って、電子端末２４の正面と接する係止部１２８ａを形成することができる。これにより、電子端末２４の保持力を高めることが出来る。なお、係止部１２８ａは、タッチペン保持部１３０と同一部材で構成されることが、好ましいが、たとえば、ゴム材などの弾性部材で構成されていてもよい。
【００２９】  第３に、タッチペン２６の脱着特性に優れる点が挙げられる。
図３（ｃ）に示すように、カバーケース１００の電子端末保持部１１０に電子端末２４が装着される。第１の実施の形態では、装着された電子端末２４の右側面２０により開口１４４が塞がれる。このため、タッチペン２６は、タッチペン保持部１３０の内部に係止されて、開口１４４に挿入されずに済むこととなる。ゆえに、開口１４４が形成されていたとしても、電子端末２４の右側面を利用することで、タッチペン２６の脱着特性の低下を抑制できる。
【００３０】  また、タッチペン２６の周側縁が、電子端末２４の横移動を規制する凸部１０６の内法面１０６ａに少なくとも達している。つまり、カバーケース１００に、タッチペンと接するタッチペン保持空間１３２が形成されている。これにより、タッチペン２６は、電子端末２４の右側面２０と右側壁１２２の内壁面との間で狭持されることになる。したがって、タッチペン２６の位置ズレが抑制されて、その装着特性を高めることができる。
【００３１】  第４に、カバーケース１００の耐衝撃性に優れる点が挙げられる。
本実施の形態において、カバーケース１００の角部は、硬質部材で構成された側壁部で構成されている。好ましくは、電子端末２４のすべての角部が硬質部材で覆われている。このため、カバーケース１００の耐衝撃性を高めることができる。たとえば、右側壁１２２の内壁面（カバーケース１００の長辺）の長さは、タッチペン２６の長さ以上であればよく、電子端末２４の右側面（長辺）の長さと略同一でもよい。これにより、タッチペン保持部１３０の側壁部で、カバーケース１００の角部を覆うことができる。なお、カバーケース１００の角部の内壁面には、電子端末２４との間に、弾性部材などの衝撃緩衝部材が形成されていてもよい。
【００３２】  また、電子端末２４の右側面には、タッチペン保持空間１３２が形成されている。そして、このタッチペン保持空間１３２は、硬質部材で囲まれて構成される。つまり、電子端末２４の右側面には、エアークッションを形成することが出来る。これにより、カバーケース１００の耐衝撃性を高めることができる。
【００３３】  その他のメリットは以下の通りである。
図２に示すように、筒状のタッチペン保持空間１３２の上下方向における端部には、上側壁１２０および下側壁１２６が配置されている。タッチペンの挿入導線が通過する壁部、たとえば上側壁１２０には、タッチペン２６の挿入口（開口部１３６）が形成されている。開口部１３６は、右側壁１２２にも形成されている。右側壁１２２の開口内縁１２２ａとタッチペン２６の突起部３２が係止される。これにより、タッチペン２６がタッチペン保持空間１３２に完全に挿入されることを抑制でき、取り出し特性を高めることができる。また、右側壁１２２の外側面には、タッチペン２６の挿入方向に開口内縁１２２ａに達する凹部１３８が形成されている。凹部１３８の側壁の一部は、開口内縁１２２ａから突出した突起部３２で形成される。このため、突起部３２に操作者の指がアクセスしやすくなり、タッチペン２６の取り出し特性を高めることができる。また、開口部１３６の形状と、タッチペン２６の後端部３６の形状を合わせることができる。これにより、タッチペン２６がタッチペン保持部１３０に収容されたときに、タッチペン２６の後端部３６の面と、タッチペン保持部１３０の壁部の面（たとえば、上側壁１２０および右側壁１２２の面）と同一面を構成することができる。したがって、後端部３６が他の部材に引っかかったり、操作者の電子端末２４の操作などにより、タッチペン２６が不用意に取り出される虞を抑制できる。また、意匠性の点でも優れた構造となる。
【００３４】  また、壁部の内壁面にタッチペン２６を係止する係止部が形成されてもよい。たとえば、図３（ｂ）に示すように、天板１２８の内壁面に凸部１３４が形成される。一方、タッチペン２６の握り部３０の一部に凹溝３４が形成される。凸部１３４が凹溝３４に契合することにより、確実に後端部３６を固定することができる。なお、凸部１３４は、壁部の内壁面の周方向の一部またはすべてに形成されてよい。また、握り部３０に凸部、壁部の内壁面に凹溝が形成されてもよい。また、内壁面に、タッチペン２６の挿入方向に対して平行な突起部（リブ）を形成してもよい。これにより、タッチペン２６と内壁面との接触面積を減らして、タッチペン２６と内壁面との摩擦を低減させてもよい。
【００３５】  本実施の形態では、タッチペン２６の挿入口と対向する側に下側壁１２６が形成されている。たとえ、タッチペン２６がタッチペン保持部１３０の内部に完全に挿入された場合でも、タッチペン２６がカバーケース１００から落下などして、タッチペン２６を紛失することを防止できる。なお、本実施の形態では、開口部１３６に蓋部は形成されていないが、この態様に限定されずに蓋部が形成されてもよい。この場合、タッチペン２６は、タッチペン保持空間１３２の内部に完全に収容されることになる。また、下側壁１２６にもタッチペン２６の挿入口を形成することにより、タッチペン保持部１３０の両側から２本のタッチペン２６が収容されてもよい。タッチペン保持部１３０の長手方向の長さは、特に限定されず、タッチペン２６の長さより長ければよく、電子端末２４の長辺長さまたは短辺長さと同等以下としてもよい。なお、本実施の形態では、異なる位置に、２以上のタッチペン保持部１３０が形成されていてもよい。
【００３６】  本実施の形態では、硬質部材とは、所定以上に硬質な部材であれば、熱可塑性プラスチック、熱硬化性プラスチックなどのプラスチック、金属または木材のいずれでもよい。たとえば、プラスチックとしては、ポリカーボネート、ＡＢＳ樹脂、ポリアセタール、ポリフェニレンエーテル、ポリアミド、ポリスルホン、酢酸繊維素プラスチック、硬質塩化ビニル樹脂、ＡＳ樹脂、ポリスチレン、フェノール樹脂、ナイロン樹脂などが挙げられ、金属としては、アルミなどが挙げられる。この中でも、硬さと粘り強さの観点から、ポリカーボネートが好ましい。
ここで、硬質とは、たとえば、ロックウェル硬度Ｍスケール（ＪＩＳ  Ｋ７２０２  規格）で、５０以上１５０以下が好ましく、６０以上１３０以下であることがさらに好ましい。
【００３７】  タッチペン保持部１３０を構成する天板１２８、右側壁１２２および底板１２４が硬質部材で構成されていることにより、タッチペン収容空間の周囲はこれらの内面で囲まれることになる。この内面は、タッチペン２６との接触により変形しにくく構成されている。このため、タッチペン収容空間の形状が挿入時または取り出し時に変形することが規制される。したがって、タッチペン２６の着脱性が向上する。
【００３８】  電子端末保持部１１０は、側壁１０２、側壁１０４、凸部１０６、天板１２８および底板１０８を備える。これらの側壁部および底板１０８により、電子端末保持空間１１２が形成される。天板１２８は、タッチペン保持部１３０と共通の部材とすることができる。側壁１０２は、電子端末２４の左上角部を支持する。側壁１０４は、電子端末２４の左下角部を支持する。凸部１０６は、電子端末２４の右側面２０、右上角部および右下角部を支持する。このように、電子端末保持部１１０の側壁部は、電子端末２４の側壁面の周囲を覆うように保持する。つまり、電子端末保持部１１０の側壁部は、電子端末２４の側壁面のすべての周囲と係合してもよいが、上下左右の四方位で点係合したり、少なくとも対向する２以上の箇所で係合していてもよい。また、本実施の形態では、底板１０８は、電子端末２４の底面全体を支持してもよいが、形成されていなくともよい。天板１２８の係止部１２８ａは、底板１０８に載置された電子端末２４の正面側を係止する。
【００３９】  天板１２８は、電子端末２４のタッチ画面１０およびボタン２２が露出するための開口を有する。また、枠体の壁部は、電子端末２４の側面に配置されたボタンに対応する領域に開口を有することができる。たとえば、枠体の壁部は、凹部１１６、凹部１１４、および凹部１１８を備えてもよい。また、枠体の壁部に凹部が形成されると、枠体を撓ませやすくなる。これにより、電子端末２４の装着特性を高めることができる。
【００４０】  また、本実施の形態では、凸部１０６は、天板１２８の先端部の係止部１２８ａに達していないが、この態様に限定されず、天板１２８に達していてもよい。天板２０８に達する凸部１０６は、電子端末保持空間１１２とタッチペン保持空間１３２とを物理的に分離することができる。なお、凸部１０６は、装着された電子端末２４の横移動を規制する係止部となる。
【００４１】  図３（ｃ）に示す電子端末２４は、タッチ画面１０および筐体１２を有している。電子端末２４は、持ち運び可能な端末であることが好ましく、たとえば、携帯電話端末、高機能携帯端末、電子ブック端末などの携帯機器であることが好ましい。タッチ画面１０は、静電容量方式、抵抗膜方式、表面弾性波方式、赤外線方式、電磁誘導方式のいずれの方式を採用していてもよい。本実施の形態では、静電容量方式の例を説明する。タッチ画面１０の大きさは、特に限定されないが、たとえば、２型〜１５型が採用され得る。筐体１２は、とくに限定されないが、たとえば、板状構造、折りたたみ構造、スライド式構造などを有していてもよい。筐体１２の断面形状は、矩形、楕円、かまぼこ形状のいずれでもよい。筐体１２の厚みは、限定されないが、薄いほうが好ましく、たとえば、筐体１２の正面の横幅より小さいことが好ましい。本実施の形態では、筐体１２が板状構造の例を説明するが、他の構造にも本実施の形態のカバーケースは適用可能である。なお、本実施の形態の板状構造は、全体が均一の厚みであってもよいが、一部に中心から外に向かって徐々に薄くなっていてもよく、一部が曲折しているものも許容する。
【００４２】  タッチペン２６は、本体（握り部３０）、本体に一体に設けられた先端部２８および後端部３６を少なくとも備える。図３（ｄ）に示すタッチペン２６において、握り部３０に凹溝３４が形成され、後端部３６に突起部３２が形成されてもよい。タッチペン２６の形状は、棒状でもよいが、板状なども採用できる。タッチペン２６の材料は、タッチ画面１０の方式に応じて適宜選択可能である。たとえば、静電容量方式を採用する場合には、握り部３０および先端部２８は導電性部材で構成される。たとえば、握り部３０は金属で構成され、先端部２８は導電性スポンジや導電性シリコンで構成される。タッチペン２６は、使用時に手の位置ズレを防止するために、不図示のグリップ部材を有してもよい。また、タッチペン２６の握り部３０に凹み部が形成されてもよい。これにより、グリップ性を高めることができる。タッチペン２６の径が細い場合でも、握り手の位置ヅレを抑制できる。
【００４３】（第２の実施の形態）
図４（ａ）は、第２の実施の形態の電子端末２４を示す底面図である。図４（ｂ）は、図４（ｃ）のＢ−Ｂ’断面図である。図４（ｃ）（ｄ）は、第２の実施の形態のカバーケースを示す正面図、および右側面図である。図４（ｅ）（ｆ）は、第２の実施の形態のタッチペンの正面図および側面図である。図５（ａ）は、第２の実施の形態のカバーケースを示す背面図である。図５は、（ｂ）第２の実施の形態のカバーケースの使用方法を説明する図である。
【００４４】  第２のカバーケース２００の概要を説明する。
第２の実施の形態のカバーケース２００は、枠体が、電子端末の挿入時と装着時で変形自在である点が第１の実施の形態と異なる。つまり、カバーケース２００は、電子端末収容空間とタッチペン収容空間とを内部に有する枠体を備えている。当該枠体は、上枠体２０２および下枠体２０４から構成されている。カバーケース２００は、上枠体２０２と下枠体２０４とが係合して、電子端末収容部の挿入口が閉蓋された第１状態と、上枠体２０２と下枠体２０４との係合が解除されて、下枠体２０４に形成された電子端末収容部の挿入口が開蓋された第２状態と、に遷移自在である。たとえば、カバーケース２００は、上枠体２０２、下枠体２０４およびヒンジ部２０６から構成される。上枠体２０２は、下枠体２０４とヒンジ部２０６で結合している。上枠体２０２は、ヒンジ部２０６を軸として回転可能である。
【００４５】  なお、本実施の形態において、ヒンジ部２０６に変えて、底板２１８に、Ｖ字溝などの脆弱な肉薄部分が形成されていてもよい。
【００４６】  カバーケース２００の第１の状態は、図４（ｄ）に示すように、上枠体２０２が下枠体２０４と係合している。たとえば、上枠体２０２と下枠体２０４とは、互いに係合爪で係合されてもよい。本実施の形態では、上枠体２０２の下面２２０に突起部２２２が形成され、下枠体２０４の上面２２４に突起部２２６が形成されている。
【００４７】  一方、カバーケース２００の第２の状態は、図５（ｂ）に示すように、上枠体２０２の正面端部は、下枠体２０４の正面端部に対して移動する。これにより、上枠体２０２の上面２２４が開口する。上面２２４の開口部２４６から、電子端末２４を挿入することができる。このため、枠体が強固で曲げ変形が規制されている場合でも、電子端末２４の脱着が容易となる。なお、タッチペン２６は、第１の状態で、タッチペンの挿入口（開口部２３８）に挿入されてもよいが、第２の状態で、下枠体２０４の上面２２４の開口部２４６に挿入されてもよい。
【００４８】  以下、第２の実施の形態のカバーケース２００の詳細を説明する。
図４（ａ）に示すように、本実施の形態の電子端末２４は、曲面を有しており、かまぼこ形状を有する。たとえば、正面３８は平坦面であり、左側面１６、右側面２０および背面４０は、湾曲面を有している。また、背面４０の全面が曲面を有してもよいが、この態様に限定されず、図５（ａ）に示すように、背面４０の一部が平坦面を有してよい。カバーケース１００の底面や側面を曲面とすることにより、操作者の持ち手にフィットしやすくなり、カバーケース１００の脱落を防止することができる。
【００４９】  第２の実施の形態のカバーケース２００においても、枠体の内部に、電子端末保持部２５０およびタッチペン保持部２６０が配置される。
【００５０】  電子端末保持部２５０は、上側壁２１０、左側壁２１２、下側壁２１４、凸部２３６の内法面２３６ａ、凸部２３４の内法面２３４ａを有する。これらの壁部により、電子端末保持空間２３０が形成されている。
【００５１】  第２の実施の形態では、天板２０８や底板２１８の内壁面に肉厚部（凸部２３４、２３６）が形成されもよい。凸部２３４、２３６の内法面２３４ａ、２３６ａは、電子端末２４の右側面２０や背面４０の形状に沿って形成される。例えば、凸部２３４は、底板２１８と比較して肉厚となるように形成されている。このため、肉厚部は、電子端末２４の外周縁と電子端末保持部２５０の壁部の内面とのギャップを埋めることができる。これにより、電子端末２４の様々な形状に対しても、電子端末２４の位置ズレを抑制することができる。
【００５２】  また、電子端末保持部２５０とタッチペン保持部２６０との間に肉厚部が形成されることで、カバーケース２００の接合部分の強度を高め、タッチペンの出し入れ時の破損を抑制できる。さらに、天板２０８の肉厚部（凸部２３４）の先端に、係止部２０８ａを形成することで、係止部２０８ａの強度を高めて、電子端末の脱着時の破損を抑制できる。
【００５３】  なお、本実施の形態において、肉厚部は、たとえば、側壁部よりも膜厚が厚い部分を指す。また、肉厚部は、タッチペンの挿入方向と平行に、連続して形成されてもよいが、点在していてもよい。
【００５４】  天板２０８には開口部２２８が形成されている。開口部２２８の両端には、係止部２０８ａ、２４１ａが形成されている。この係止部２０８ａ、２４１ａは、電子端末２４の正面３８を係止する。また、下側壁２１４、底板２１８および右側壁２１６は、各面同士がシームレスに構成されている。
【００５５】  一方、タッチペン保持部２６０は、天板２０８、右側壁２１６、底板２１８、内法面２３４ｂ、２３６ｂを備える。これらの壁部により、タッチペン保持空間２３２が形成される。タッチペン保持空間２３２の断面形状は、円形状とすることができ、第１の実施の形態と同様に矩形形状でもよい。つまり、タッチペン収容部の内壁面に肉厚部を形成することで、タッチペン保持空間２３２の断面形状をタッチペン２６の周縁形状に合わせることができる。
【００５６】  内法面２３４ｂと内法面２３６ｂとの間、つまり、凸部２３４の頂部と凸部２３６の頂部との間には開口２４４が形成されている。開口２４４から、電子端末２４の右側面２０の曲面が突出できる。このため、開口２４４から突出した右側面２０は、タッチペン保持空間２３２に収容されたタッチペン２６の周面を、右側壁２１６の内壁方向に押すことができる。これにより、電子端末２４の右側面２０と右側壁２１６の内壁面とでタッチペン２６を狭持できる。言い換えると、カバーケースに電子端末およびタッチペンを装着した際に、電子端末の右側面がタッチペンの外周縁と接する。したがって、タッチペン２６の脱落を充分に防止することができる。
【００５７】  タッチペン２６の全体は、後端部３６の上面を除いて、タッチペン保持部２６０の内部に収容される。後端部３６の上表面は、カバーケース２００の外表面（タッチペンの挿入口（開口部２３８）が形成された天板２０８の表面）と同一面を構成してもよい。また、後端部３６の上面は、上側壁２１０の曲線に合わせた形状を有してもよい。ここで、同一面とは、製造工程のバラツキなどを許容し、たとえば、互いの面の間の段差が１ｍｍ程度以内であることを意味する。
【００５８】  なお、第２の実施の形態では、上枠体２０２と下枠体２０４とが結合している例を説明した。他の変形例としては、上枠体２０２と下枠体２０４とが着脱自在に分離可能となる構成を有していてもよい。また、凸部２３４と凸部２３６との間に、開口２４４を形成せずに、空間を分離する壁部（仕切り部）を形成してもよい。開口部２３８は、天板２０８に形成されてもよいが、右側壁２１６や底板２１８に形成されてもよい。なお、カバーケース２００の内壁と電子端末２４またはタッチペン２６との間に、ゴム材などの緩衝部材が配置されてもよい。
【００５９】（第３の実施の形態）
図６（ｄ）第３実施の形態のカバーケースの分解図である。図６（ｂ）は、第３の実施の形態のカバーケースを示す斜視図である。
【００６０】  第３の実施の形態のカバーケース３００は、環状構造を有する枠体で形成されている点が、第１の実施の形態と異なる。枠体は、複数の板状の側壁部材が係合自在に構成されている。つまり、カバーケース３００は、係合自在の２以上の板部材から構成される枠体（上側板３０２、左側板３０４、下側板３０６および右側板３０８）を備える。当該枠体の内壁面に囲まれることにより、電子端末保持空間３１４が形成されている。当該枠体の側壁（右側板３０８）に、タッチペンが挿入されるタッチペン収容凹部（タッチペン保持空間３１６）が形成されている。
【００６１】  本実施の形態では、枠体を構成する側壁部材を分離できるので、側壁部材を硬質部材で構成したとしても、電子端末の装着特性の低下を抑制できる。また、側壁部材の角部の膜厚を、側面よりも厚くすることも可能となる。これにより、カバーケース３００の装着特性とともに耐衝撃性を高めることができる。なお、本実施の形態では、側壁部材の膜厚は、側面から角部に向かって段階的に厚くなってもよいが、除々に厚くなってもよい。
【００６２】  図６（ａ）は、カバーケース３００の分解された状態を示す。カバーケース３００の枠体は、上側板３０２、左側板３０４、下側板３０６および右側板３０８を有する。右側板３０８には、タッチペン保持部３１０が一体に形成されている。つまり、右側板３０８に、タッチペン収容凹部（タッチペン保持空間３１６）が形成されている。収容凹部は、右側板３０８の長手方向に延在している。収容凹部の孔断面形状は、円形形状でもよいが、矩形形状としてもよい。たとえば、これにより、右側板３０８の膜厚を薄くすることが可能となる。収容凹部の内孔の先端部は、タッチペンよりも長くてもよく、または、タッチペンの先端形状に沿って形成されていてもよい。収容凹部の内孔深さがタッチペンよりも長い場合には、収容凹部の先端部は先細りしていることが好ましい。
【００６３】  右側板３０８は、内壁面に電子端末保持空間３１４を有している。くわえて、右側板３０８の内壁面とは反対側にタッチペン保持空間３１６を有している。つまり、右側板３０８の両面にそれぞれ、カバーケース保持部３１２とタッチペン保持部３１０が形成されている。これにより、右側板３０８の膜厚を薄くでき、カバーケース３００の小型化を図ることができる。
【００６４】  また、右側板３０８の内壁面３２４は、電子端末の側面に配置されることになる。それぞれの板部材は、互いに係合するための係合部を有する。たとえば、上側板３０２の左端部には凸部３２０ａが形成されている。一方、左側板３０４の上端部には凸部３２０ａと係合する凹溝３２０ｂが形成されている。また、各板部材の内壁面３２２は、電子端末の側面の形状に沿った構造を有することが好ましい。また、上側板３０２および下側板３０６は角部を有する。なお、本実施の形態では、係合爪により係合する態様を説明したが、これに限定されず、ねじ等の係合自在手段により係合する態様を採用してもよい。
【００６５】  図６（ｂ）は、図６（ａ）に示す板状の側壁部材が組み上がった状態を示す。つまり、上側板３０２は、左側板３０４の上端部および右側板３０８の上端部と係合する。下側板３０６は、左側板３０４の下端部および右側板３０８の下端部と係合する。これにより、図６（ｂ）に示す枠体が形成される。枠体の内部には、電子端末保持空間３１４が形成される。つまり、カバーケース保持部３１２は、上側板３０２は、左側板３０４の上端部および右側板３０８で構成される。一方、タッチペン保持部３１０は、タッチペンが収容される収容空間を有する右側板３０８で構成される。
【００６６】  カバーケース３００の枠体を構成する側壁部材は、硬質部材で形成されていることが好ましく、たとえば、金属で形成されていてもよい。これにより、枠体を個片化しても、各固体の強度を高めて破損を防ぐことができる。また、右側板３０８は、タッチペン保持空間３１６を構成する。つまり、右側板３０８の収容凹部は、タッチペンの先端部が接触したとしても変形しにくくなる。このため、タッチペンの装着特性を高めることができる。くわえて、個片化した板部材は、電子端末に容易に装着できる。したがって、板部材を硬質部材で構成した場合でも、電子端末の装着特性が低下する虞がない。
【００６７】  側壁部材には、電子端末の周囲に設けられたボタンの位置に応じて、開口が形成されてもよい。なお、板部材はすべて同一部材で構成されてもよいが、異種材料で構成されてもよい。たとえば、上側板３０２の角部は、側面部の材料よりも硬い材料で構成されていてもよい。また、上側板３０２の角部や内壁面に、ゴム部材などの衝撃緩衝部材が配置されていてもよい。これにより、枠体の衝撃吸収性を高めることができる。右側板３０８の断面形状は、かまぼこ形状でもよいが、矩形形状としてもよい。これにより、カバーケース３００をスリム化することができる。この場合、タッチペンは板状のものを採用できる。
【００６８】  また、第３の実施の形態では、上側板３０２および下側板３０６が角部を有していたが、この態様に限定されず、右側板３０８の両端が角部を有する態様も採用できる。右側板３０８の角部は、タッチペンの挿入方向の力が加わったときに、電子端末の角部に引っかかることになる。このため、タッチペンの出し入れにより、枠体が分解される虞を低減できる。第３の実施の形態では、枠体は４つの部材で構成されるが、これに限定されず、２または３の部材で構成されてもよい。
【００６９】  図７は、第３の実施の形態の変形例のカバーケースを示す斜視図である。
第３の実施の形態の変形例のカバーケース３００は、枠体の側壁部が、短形環状の弾性部材（弾性忰体３２６）で構成されている点が、第３の実施の形態とことなる。図７に示すカバーケース３００は、右側板３０８を除いて、弾性枠体３２６で構成されている。つまり、変形例のカバーケース３００は、部分的に弾性部材で構成されている枠体（弾性枠体３２６および右側板３０８）を備える。当該枠体の内壁面に囲まれることにより、電子端末保持空間３１４が形成される。当該板部材（右側板３０８）に、タッチペンが挿入されるタッチペン収容凹部（タッチペン保持空間３１６）が形成されているものである。
【００７０】  弾性枠体３２６（右側板３０８の側壁面の長さを含む）の自然長が、電子端末の側壁の周囲の長さよりも短い。弾性枠体３２６は、伸縮可能である、また、弾性枠体３２６の正面断面形状は、たとえば、角丸四角形状を有する。
【００７１】  本変形例において、弾性枠体３２６は、たとえば、ゴム部材などで構成される。輪状の弾性枠体３２６は、容易に電子端末の側壁面に装着可能である。したがって、タッチペン保持部３１０は硬質部材で構成することでタッチペンの脱着特性を高められる。加えて、本変形例においては、カバーケース３００の電子端末の側壁面への装着が容易である。
【００７２】（第４の実施の形態）
図８（ａ）は、第４実施の形態のカバーケースを示す斜視図である。図８（ｂ）は、タッチペンの挿入方向から見たときにおける、タッチペン収容凹部にタッチペンを装着することを説明する図である。
【００７３】  第４実施の形態のカバーケース４００は、タッチペン５０がガイドレールに沿って挿入されるガイド部を備える点が、第１の実施の形態と異なる。つまり、カバーケース４００は、タッチペン収容凹部（タッチペン保持部４１６）の内壁面４２２には、タッチペンの挿入方向に延在している係合部（突起部４２４）が形成されている。言い換えると、タッチペン収容凹部の開口が、タッチペンの挿入方向に向いている第１の実施の形態とは異なり、スライド方向、つまりタッチペン５０の側壁面に対応する位置に形成される。
【００７４】  図８（ａ）に示すカバーケース４００は、電子端末保持空間４１８を囲む側壁部（上側壁４０２、左側壁４０４、下側壁４０６および右側壁４０８）を有する枠体を備える。当該側壁部（右側壁４０８）には、タッチペン５０を収容する収容凹部（タッチペン保持空間４２０）が形成されている。収容凹部の内孔の側壁部（右側壁４０８）の内壁面４２２には、タッチペンをガイドするガイド部（突起部４２４）が形成されている。また、収容凹部のうち、タッチペン挿入部分においては、挿入方向に対して直交する方向（右側壁４０８の面直方向）に開口が形成されている。このため、スライド方向のタッチペン５０の正面６４が露出するので、操作者の指の接触面積が大きくなるので、タッチペンの取り出しが容易となる。
【００７５】  一方、タッチペン５０は、板状の本体部（板部５２）と、本体部の先端に形成されている先端部５４と、本体部の側壁面５６に形成されている凹溝５８と、を有する。本実施の形態では、タッチペン５０の断面形状は、Ｈ形状であるが、これに限定されずに、凸部形状でもよい、この場合には、たとえば、凸部の先端幅は、対向する一対の突起部４２４の間隔よりも小さく、底部幅はこれらの間隔よりも広くする。
【００７６】  カバーケース４００の突起部４２４が、タッチペン５０の凹溝５８にスライドして挿入される。これにより、タッチペン５０は、カバーケース４００に装着される。また、タッチペン５０の先端部５４は、右側壁４０８の外壁面とタッチペン収容凹部の内壁面４２２の間に形成された内孔に挿入される。
【００７７】  カバーケース４００において、電子端末保持部４１４は、上側壁４０２、左側壁４０４、下側壁４０６、右側壁４０８および弾性部材４１０で構成される枠体である。上側壁４０２、左側壁４０４、下側壁４０６、右側壁４０８は、同一部材で形成されてもよいが、別部材で構成されていてもよい。
【００７８】  図８（ａ）に示すように、枠体の側壁部が、硬質部材（上側壁４０２、左側壁４０４、下側壁４０６および右側壁４０８）と弾性部材（弾性部材４１０）とで構成されていてもよい。たとえば、枠体は四角環状構造を有する側壁部で構成されており、その側壁部の一辺は、前記硬質部材の硬質側辺と前記弾性部材の弾性側辺（弾性部材４１０）を有している。硬質側辺と弾性側辺は、タッチペンの挿入方向に並んで接続している。また、弾性部材４１０は、角部を除く、辺の中間部に形成されていることが好ましい。本実施の形態では、枠体の側壁部の硬質側辺（右側壁４０８）に、収容凹部（タッチペン保持空間４２０）が形成されている。弾性部材４１０は、側面の面直方向における右側壁４０８の端部の全体に亘って形成されることが好ましい。
【００７９】  上側壁４０２と右側壁４０８との間に弾性部材４１０が介在していることにより、枠体は、電子端末保持状態と、電子端末脱着状態とを自在に遷移できる。つまり、電子端末脱着時には、枠体の内部の空間を広げやすくなる。側壁のすべてが硬質部材で形成されていた場合でも、枠体内に電子端末を装着し易くなる。
【００８０】  また、弾性部材４１０は右側壁４０８の外壁面より外側に形成されることが好ましい。これにより、タッチペン５０を有する側のカバーケース４００の耐衝撃性を高めることができる。また、弾性部材４１０は、タッチペン収容凹部が形成される側壁部と同じ側壁側に形成されることが好まし。これにより、挿入方向のクッション性が高まり、タッチペン５０の挿入時における、薄板状のガイド部（突起部４２４）の破損が低減される。なお、弾性部材４１０に変えて、側壁同士を連結するメタルクリップが採用されてもよい。
【００８１】  また、枠体の側壁の正面側または背面側の端縁部には、係止部４１２が形成されてもよい。係止部４１２は、電子端末の正面または背面を係止できるので、電子端末の脱落を抑制することができる。係止部４１２は、ゴム材などの弾性部材で構成されていてもよいし、側壁部と同一部材で構成されていてもよい。
【００８２】  タッチペン保持部４１６は、壁部４３０の内壁面４２２に形成されたレール状の突起部４２４とから構成される。壁部４３０は、右側壁４０８と一体的に形成されており、右側壁４０８の一部にタッチペン収容凹部が形成されるにより構成されるものである。右側壁４０８は、他の側壁、たとえば左側壁４０４と比較して肉厚に形成されてもよい。これにより、右側壁４０８にタッチペン収容凹部を形成するためのスペースを確保できる。突起部４２４は、レール構造を有してもよいが、挿入方向に点在した凸部群で構成されていてもよい。
【００８３】  また、右側壁４０８は、タッチペン保持空間４２０の領域において、残存していてもよい。残存した右側壁４０８の右側内壁面４２６に、タッチペン５０を係止するための係止部（凹溝４２８）が形成されてもよい。凹溝４２８には、タッチペン５０の背面６０に形成された突出部６２が係合する。突出部６２の長さは、凹溝４２８の長さ以下であることが好ましい。たとえば、凹溝５８の先端が突起部４２４に係合した後に、突出部６２は凹溝４２８に係合する。
【００８４】  また、タッチペン保持部４１６は、弾性部材４１０が形成された右側壁４０８に形成されていてもよいが、弾性部材４１０が形成されていない側壁に一体に設けられていてもよい。
【００８５】  図８（ａ）に示すタッチペン５０は、板部５２、先端部５４、側壁面５６に形成された凹溝５８、背面６０に形成された突出部６２を備える。凹溝５８は、凹溝５８の先端から後端のすべてに亘って形成さてもよいが、後端の一部に形成されていなくともよい。凹溝５８の終端部は、タッチペン５０の挿入のストッパとなる。また、突出部６２を凹溝４２８に係止することにより、タッチペン５０の挿入を停止させてもよい。タッチペン５０の正面６４は、右側壁４０８と同一面を構成することが好ましい。これにより、タッチペン５０の不用意な脱落が防止できる。また、正面６４に凹部が形成されてもよい。凹部に指先を引っかけることにより、タッチペン５０を取り出しやすくすることができる。
【００８６】  図９は、第４の実施の形態の変形例のカバーケースを示す斜視図である。
第４の実施の形態の変形例のカバーケース４００は、右側壁４０８にタッチペン収容凹部（タッチペン保持空間４２０）が形成されていて、収容凹部の底面が貫通している点が、第４の実施の形態と異なる。つまり、変形例のカバーケース４００は、枠体を構成する側壁（右側壁４０８）の収容凹部の底部に孔を有している。当該タッチペン収容部が形成された右側壁４０８には、側壁面直方向に貫通する貫通孔が形成されている。貫通孔の内壁の係合部にはタッチペン５０が配置される。
【００８７】  この貫通孔の開口面は、タッチペン５０の背面６０の形状に対応しており、たとえば、矩形形状を有する。タッチペン５０の背面６０は、右側壁４０８の内壁面と同一面を構成する。このため、タッチペン５０の背面６０は、電子端末の側壁面を保持することができる。言い換えると、タッチペン５０の突出部６２が電子端末の右側面に接触させることが可能となる。また、タッチペン収容部が形成された右側壁４０８の膜厚を薄くすることも可能となる。また、タッチペン５０の端部は、平坦形状でもよいが、電子端末の角部に沿って湾曲形状を有してもよい。いずれの場合にも、正面６４は、枠体の側壁外面と同一面を構成することが好ましい。
【００８８】  以上のように、第３の実施の形態およびその変形例では、タッチペンは、平板構造を有する本体を有していることが好ましい。また、枠体が底板を有する場合には、タッチペン保持部４１６は、右側壁４０８と同様にして、底板に形成されていてもよい。
【００８９】（第５の実施の形態）
図１０（ａ）は、タッチペンの正面図である。図１０（ｂ）は、タッチペンの底面図である。図１０（ｃ）は、第５の実施の形態のカバーケースを示す背面図である。図１０（ｄ）は、図１０（ｃ）のＤ−Ｄ’断面図である。図１０（ｅ）は、第５の実施の形態のカバーケースの使用態様を説明する図である。
【００９０】  第５の実施の形態のカバーケース５００は、背面５０２にタッチペン保持部５１２が形成されている点が、第１の実施の形態と異なる。つまり、カバーケース５００の枠体は、底部と、底部と一体に設けられた側壁部（上側壁５１６、右側壁５１８、下側壁５２０および左側壁５２２）と、で構成されている。底部の正面５２４側に、電子端末保持空間５１４が形成されている。一方、底部の背面５０２側に、タッチペン収容凹部（タッチペン保持部５１２）が形成されている。
【００９１】  図１０（ｃ）に示すタッチペン保持部５１２は、一対の壁部（壁部５０４）および係止部（突起部５０８）により構成されている。つまり、壁部５０４は、底板の背面５０２に立設している。一対の壁部の内壁面５０６の間に、タッチペン保持空間５１０が配置されている。一対の壁部の内壁面５０６に、タッチペンを係止する係止部（突起部５０８）が形成されている。
【００９２】  本実施の形態において、壁部５０４は、背面視において、Ｕ字形状を有するが、これに限定されずに、コの字状、Ｖ字状などでもよい。すなわち、壁部５０４は、互いに対向する一対の壁部を有していればよい。この壁部は、互いに同一部材で構成されていても、別部材で構成されていてもよい。壁部５０４は、硬質部材で形成されていることが好ましい。これにより、突起部５０８の位置がずれることを防止することができ、効率的にタッチペン５０を突起部５０８に装着できる。硬質部材の突起部５０８には、タッチペン５０はスライドして係合する。
【００９３】  タッチペン５０の挿入口５２６は、側壁近くに偏在していることが好ましい。これにより、タッチペン５０が取り出し易くなる。タッチペン保持部５１２は、操作者がカバーケース５００を握ったときに、操作者の持ち手が触れない領域に形成されることが好ましく、たとえば、背面５０２の上側または下側に偏在していることが好ましい。
【００９４】  図１０（ｅ）に示すように、カバーケース５００はテーブルなどの平坦面に載置される。この場合、カバーケース５００の背面５０２と平坦面との間にタッチペン保持部５１２が配置される。タッチペン保持部５１２の配置位置は、上側壁５１６側に偏在している。このため、タッチペン保持部５１２の高さだけ、カバーケース５００は傾くことになる。すなわち、カバーケース５００に装着された電子端末のタッチ画面を一定に傾けた状態で使用することができる。タッチ画面の視認性が高まり、操作者の作業効率を高めることができる。
【００９５】  図１０（ｄ）に示す突起部５０８は、背面５０２から突出した壁部５０４の内壁面５０６に形成されてもよいが、この態様に限定されずに、カバーケース５００の底板の内部に形成されてもよい。すなわち、底板にタッチペンを収容する開口部を形成する。この開口部の内壁面に、突起部５０８を形成してもよい。開口部は、側壁面（たとえば、左側壁５２２）に達するものである。また、タッチペン５０の板部５２の正面６４は、開口部に配置された状態で、底板の背面５０２と同一面を構成することが好ましい。
【００９６】  なお、本実施の形態において、突起部５０８は弾性部材で形成されてもよい。軟質部材の突起部５０８には、タッチペン５０は背面側から嵌め込まれ得る。タッチペン５０を嵌め込む場合には、タッチペン５０の側壁面５６は、背面６０から凹溝５８に向かってテーパしていることが好ましい。また、壁部５０４には、先端部５４が嵌め込まれる凹部が形成される。これにより、タッチペン５０の係合が容易となる。
【００９７】（第６の実施の形態）
図１１（ａ）は、第６の実施の形態のカバーケースを示す底面図である。図１１（ｂ）は、第６の実施の形態のカバーケースの使用態様を説明する図である。図１１（ｃ）は、第６の実施の形態のカバーケースを示す斜視図である。
【００９８】  第６の実施の形態のカバーケース６００は、背面６１０にタッチペン７０を収容する収容凹部が形成されている点が、第１の実施の形態と異なる。つまり、カバーケース６００は、電子端末を収容する電子端末収容空間（電子端末保持空間６１２）を有する枠体を備えている。枠体は底板を有する。当該枠体の背面６１０側の底板には、タッチペン７０を収容する収容凹部（タッチペン保持空間６１４）が形成されている。すなわち、タッチペン保持部は、収容溝（凹部）により構成されている。本実施の形態では、収容凹部の底面（内壁面６２４）には、底面の正面側に達するスリット（内孔６２２）が形成されている。
【００９９】  本実施の形態では、底板の背面６１０側に形成された収容凹部に、タッチペン７０が収容される。タッチペン７０の外周縁７８が内孔６２２に挿入されることで、タッチペン７０は収容凹部内に係止される。さらに、内孔６２２の正面側の開口に達した外周縁７８は、電子端末の底面に接して保持さることになる。これにより、タッチペン７０が正面側に抜けきらずに、背面側で係止される得る。
【０１００】  図１１（ｃ）に示すように、本実施の形態の枠体は、上側壁６０２、左側壁６０４、下側壁６０６、右側壁６０８および背面６１０で構成される。これらの壁部で囲まれることにより、正面側に電子端末保持空間６１２が形成される。
【０１０１】  一方、背面６１０側の底板には、収容凹部（タッチペン保持空間６１４）が形成されている。収容凹部の内壁面６２４には、操作者の指が入る凹部６１８が形成されている。内壁面６１６の曲率半径は、内壁面６２４の曲率半径よりも大きくすることができる。これにより、タッチペン７０が取り出し易くなる。
【０１０２】  また、内壁面６２４には、内孔６２２が形成されてもよい。内孔６２２にタッチペン７０の外周縁７８が挿入される。このとき、タッチペン７０の長手方向に対応する突出部６２の開口端の間隔は、自然状態より若干広がることになる。これにより、内孔６２２にタッチペン７０の外周縁７８が係合することができる。以上により、タッチペン７０の脱落が抑制される。
【０１０３】  本実施の形態において、内孔６２２のスリット長さは、タッチペン７０の棒体７２の長さと同じであることが好ましい。カバーケース６００の底板を肉厚にすることにより、タッチペン７０を完全に収容することもできる。また、背面６１０は、全体が平坦面であるが、一部が湾曲面で構成されていてもよい。なお、収容凹部は、その底面に内孔６２２を有さない場合には、他のタッチペン係止手段を有することが好ましい。
【０１０４】  なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【０１０５】１０  タッチ画面
１２  筐体
１４  上側面
１６  左側面
１８  下側面
２０  右側面
２２  ボタン
２４  電子端末
２６  タッチペン
２８  先端部
３０  握り部
３２  突起部
３４  凹溝
３６  後端部
３８  正面
４０  背面
５０  タッチペン
５２  板部
５４  先端部
５６  側壁面
５８  凹溝
６０  背面
６２  突出部
６４  正面
７０  タッチペン
７２  棒体
７４  先端部
７８  外周縁
１００  カバーケース
１０２  側壁
１０４  側壁
１０６  凸部
１０６ａ  内法面
１０８  底板
１１０  電子端末保持部
１１２  電子端末保持空間
１１４  凹部
１１６  凹部
１１８  凹部
１２０  上側壁
１２２  右側壁
１２２ａ  開口内縁
１２４  底板
１２６  下側壁
１２８  天板
１２８ａ  係止部
１３０  タッチペン保持部
１３２  タッチペン保持空間
１３４  凸部
１３６  開口部
１３８  凹部
１４０  係止部
１４２  底板
１４４  開口
２００  カバーケース
２０２  上枠体
２０４  下枠体
２０６  ヒンジ部
２０８  天板
２０８ａ  係止部
２１０  上側壁
２１２  左側壁
２１４  下側壁
２４１ａ  係止部
２１６  右側壁
２１８  底板
２２０  下面
２２２  突起部
２２４  上面
２２６  突起部
２２８  開口部
２３０  電子端末保持空間
２３２  タッチペン保持空間
２３４  凸部
２３４ａ、２３４ｂ  内法面
２３６  凸部
２３６ａ、２３６ｂ  内法面
２３８  開口部
２４０  凹部
２４２  開口内縁
２４４  開口
２４６  開口部
２５０  電子端末保持部
２６０  タッチペン保持部
３００  カバーケース
３０２  上側板
３０４  左側板
３０６  下側板
３０８  右側板
３１０  タッチペン保持部
３１２  カバーケース保持部
３１４  電子端末保持空間
３１６  タッチペン保持空間
３１８  開口部
３２０ａ  凸部
３２０ｂ  凹溝
３２２  内壁面
３２４  内壁面
３２６  弾性枠体
４００  カバーケース
４０２  上側壁
４０４  左側壁
４０６  下側壁
４０８  右側壁
４１０  弾性部材
４１２  係止部
４１４  電子端末保持部
４１６  タッチペン保持部
４１８  電子端末保持空間
４２０  タッチペン保持空間
４２２  内壁面
４２４  突起部
４２６  右側内壁面
４２８  凹溝
４３０  壁部
４３２  開口部
５００  カバーケース
５０２  背面
５０４  壁部
５０６  内壁面
５０８  突起部
５１０  タッチペン保持空間
５１２  タッチペン保持部
５１４  電子端末保持部
５１６  上側壁
５１８  右側壁
５２０  下側壁
５２２  左側壁
５２４  正面
５２６  挿入口
６００  カバーケース
６０２  上側壁
６０４  左側壁
６０６  下側壁
６０８  右側壁
６１０  背面
６１２  電子端末保持空間
６１４  タッチペン保持空間
６１６  内壁面
６１８  凹部
６２０  凹部
６２２  内孔
６２４  内壁面
【図１】
2013093002.tif 000003
【図２】
2013093002.tif 000004
【図３】
2013093002.tif 000005
【図４】
2013093002.tif 000006
【図５】
2013093002.tif 000007
【図６】
2013093002.tif 000008
【図７】
2013093002.tif 000009
【図８】
2013093002.tif 000010
【図９】
2013093002.tif 000011
【図１０】
2013093002.tif 000012
【図１１】
2013093002.tif 000013